Podtech/llm-jp-corpus-v4-ja_patent huggingface dataset:
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
熱膨張性シートの所望の領域を熱膨張させる際に用いる濃淡画像を印刷するための印刷データに対し、当該濃淡画像に含まれる線画像の集合で構成される図形又は文字について中心線を特定する第１の特定ステップと、
前記中心線の交点と当該交点を含む交点領域を特定する第２の特定ステップと、
前記交点領域に対する印刷濃度を調整する調整ステップと、
を含むことを特徴とする立体画像形成方法。
【請求項２】
前記調整ステップでは、前記交点領域の中央に向かって段階的に薄くなるように当該交点領域の前記印刷濃度を調整する
ことを特徴とする請求項１に記載の立体画像形成方法。
【請求項３】
前記交点領域を複数の領域に分割する分割ステップを更に含み、
前記調整ステップは、前記分割ステップで分割された領域のうち、前記交点領域の中央に位置する領域の前記印刷濃度が低くなるように調整する
ことを特徴とする請求項１又は２に記載の立体画像形成方法。
【請求項４】
前記調整ステップは、前記交点領域の輪郭が前記濃淡画像の輪郭に該当する場合には、前記濃淡画像の輪郭から所定の幅の領域における前記交点領域の前記印刷濃度を、前記調整ステップで調整する前の濃度に設定する
ことを特徴とする請求項１乃至請求項３のいずれか一項に記載の立体画像形成方法。
【請求項５】
前記調整ステップは、複数の前記交点領域が重なる重複領域がある場合には、前記重複領域を一つの交点領域として前記印刷濃度の調整を行う
ことを特徴とする請求項１乃至４のいずれか一項に記載の立体画像形成方法。
【請求項６】
立体画像形成装置のコンピュータを、
熱膨張性シートの所望の領域を熱膨張させる際に用いる濃淡画像を印刷するための印刷データに対し、当該濃淡画像に含まれる線画像の集合で構成される図形又は文字について中心線を特定する第１の特定手段、
前記中心線の交点と当該交点を含む交点領域を特定する第２の特定手段、
前記交点領域に対する印刷濃度を調整する調整手段、
として機能させるためのプログラム。
【請求項７】
前記調整手段は、前記交点領域の中央に向かって段階的に薄くなるように当該交点領域の前記印刷濃度を調整する
ことを特徴とする請求項６に記載のプログラム。
【請求項８】
前記交点領域を複数の領域に分割する分割手段として機能させ、
前記調整手段は、前記分割手段で分割された領域のうち、前記交点領域の中央に位置する領域の前記印刷濃度が低くなるように調整する
ことを特徴とする請求項６又は７に記載のプログラム。
【請求項９】
前記調整手段は、前記交点領域の輪郭が前記濃淡画像の輪郭に該当する場合には、前記濃淡画像の輪郭から所定の幅の領域における前記交点領域の前記印刷濃度を、前記調整手段で調整する前の濃度に設定する
ことを特徴とする請求項６乃至請求項８のいずれか一項に記載のプログラム。
【請求項１０】
前記調整手段は、複数の前記交点領域が重なる重複領域がある場合には、前記重複領域を一つの交点領域として前記印刷濃度の調整を行う
ことを特徴とする請求項６乃至９のいずれか一項に記載のプログラム。
【手続補正２】
【補正対象書類名】明細書
【補正対象項目名】発明の名称
【補正方法】変更
【補正の内容】
【発明の名称】立体画像形成方法及びプログラム
【手続補正３】
【補正対象書類名】明細書
【補正対象項目名】０００１
【補正方法】変更
【補正の内容】
【０００１】
本発明は、立体画像形成方法及びプログラムに関する。
【手続補正４】
【補正対象書類名】明細書
【補正対象項目名】０００６
【補正方法】変更
【補正の内容】
【０００６】
上記課題を解決するため、立体画像形成方法は、熱膨張性シートの所望の領域を熱膨張させる際に用いる濃淡画像を印刷するための印刷データに対し、当該濃淡画像に含まれる線画像の集合で構成される図形又は文字について中心線を特定する第１の特定ステップと、前記中心線の交点と当該交点を含む交点領域を特定する第２の特定ステップと、前記交点領域に対する印刷濃度を調整する調整ステップと、を含むことを特徴とする。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
イリジウムとトリアゾール骨格を有する配位子を有し、
前記トリアゾール骨格は、ピリジン環を含む基又はピリミジン環を含む基と、アリール基を有し、
前記トリアゾール骨格に含まれるいずれか１つの窒素は前記イリジウムと配位し、
前記アリール基のオルト位と前記イリジウムが結合した構造を有する有機金属錯体。
【請求項２】
下記一般式（Ｇ１）で表される有機金属錯体。
【化１】
2017171656.tif 000001
（但し、一般式（Ｇ１）において、Ｒ１乃至Ｒ４はそれぞれ独立に、水素、炭素数１乃至６の飽和炭化水素基、炭素数３乃至８の環状飽和炭化水素基及び炭素数６乃至１３の芳香族炭化水素基のいずれかを表す。また、Ｒ１０及びＲ２０は少なくとも一方がピリジン環を有する基またはピリミジン環を有する基であり、他方が炭素数１乃至６の飽和炭化水素基、炭素数３乃至８の環状飽和炭化水素基、炭素数６乃至１３の芳香族炭化水素基、ピリジン環を有する基及びピリミジン環を有する基のいずれかである。）
【請求項３】
下記一般式（Ｇ２）で表される有機金属錯体。
【化２】
2017171656.tif 000002
（但し、一般式（Ｇ２）において、Ｒ１乃至Ｒ４及びＲ１１乃至Ｒ１４はそれぞれ独立に、水素、炭素数１乃至６の飽和炭化水素基、炭素数３乃至８の環状飽和炭化水素基及び炭素数６乃至１３の芳香族炭化水素基のいずれかを表す。また、Ｒ２０は炭素数１乃至６の飽和炭化水素基、炭素数３乃至８の環状飽和炭化水素基、炭素数６乃至１３の芳香族炭化水素基、ピリジン環を有する基及びピリミジン環を有する基のいずれかである。）
【請求項４】
下記一般式（Ｇ３）で表される有機金属錯体。
【化３】
2017171656.tif 000003
（但し、一般式（Ｇ３）において、Ｒ１乃至Ｒ４、Ｒ１１乃至Ｒ１４及びＲ２１乃至Ｒ２５はそれぞれ独立に、水素、炭素数１乃至６の飽和炭化水素基、炭素数３乃至８の環状飽和炭化水素基及び炭素数６乃至１３の芳香族炭化水素基のいずれかを表す。）
【請求項５】
下記一般式（Ｇ４）で表される有機金属錯体。
【化４】
2017171656.tif 000004
（但し、一般式（Ｇ４）において、Ｒ１１、Ｒ１３、Ｒ１４及びＲ２１はそれぞれ独立に、水素、炭素数１乃至６の飽和炭化水素基、炭素数３乃至８の環状飽和炭化水素基及び炭素数６乃至１３の芳香族炭化水素基のいずれかを表す。）
【請求項６】
下記構造式（１００）、（１０１）及び（１０２）のいずれか一で表される有機金属錯体。
【化５】
2017171656.tif 000005
【化６】
2017171656.tif 000006
【化７】
2017171656.tif 000007
【請求項７】
請求項１乃至請求項６のいずれか一項に記載の有機金属錯体を有する発光素子。
【請求項８】
請求項７に記載の発光素子と、
トランジスタ、または、基板と、
を有する発光装置。
【請求項９】
請求項８に記載の発光装置と、
センサ、操作ボタン、スピーカ、または、マイクと、
を有する電子機器。
【請求項１０】
請求項８に記載の発光装置と、
筐体と、
を有する照明装置。
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
撮像デバイスにより観察対象が撮像された医療用撮像画像を示す画像信号を、前記医療用撮像画像より小さな所定の単位ごとに圧縮符号化する符号化処理部と、
前記所定の単位ごとに圧縮符号化された前記画像信号を送信する送信部と、
を備える、医療用観察装置。
【請求項２】
前記符号化処理部は、前記所定の単位ごとに、前記画像信号を周波数変換し、周波数変換された前記画像信号を量子化して符号を割り当てることにより、前記画像信号を前記所定の単位で圧縮符号化する、請求項１に記載の医療用観察装置。
【請求項３】
前記符号化処理部は、設定されている閾値よりも低い周波数成分に対して固定長の符号を割り当て、前記低い周波数成分以外の周波数成分に対して可変長の符号を割り当てる、請求項２に記載の医療用観察装置。
【請求項４】
前記符号化処理部は、設定されている閾値よりも低い周波数成分に対して量子化を行わない、請求項２または３に記載の医療用観察装置。
【請求項５】
前記符号化処理部は、前記所定の単位ごとにエラー訂正コードを付加する、請求項１〜４のいずれか１つに記載の医療用観察装置。
【請求項６】
前記符号化処理部は、設定されている圧縮率で、前記画像信号を圧縮符号化する、請求項１〜５のいずれか１つに記載の医療用観察装置。
【請求項７】
前記圧縮率は、手技が選択されることにより設定される、手技に対応する圧縮率である、請求項６に記載の医療用観察装置。
【請求項８】
前記圧縮率は、予め設定されている固定の圧縮率である、請求項６に記載の医療用観察装置。
【請求項９】
前記所定の単位は、前記医療用撮像画像における複数ライン単位である、請求項１〜８のいずれか１つに記載の医療用観察装置。
【請求項１０】
前記符号化処理部は、所定の医療機器の動作状態と、行われる手技の種類との一方または双方に応じて圧縮符号化の仕方を変更する、請求項１〜９のいずれか１つに記載の医療用観察装置。
【請求項１１】
前記送信部は、圧縮符号化された前記画像信号を有線通信で送信する、請求項１〜１０のいずれか１つに記載の医療用観察装置。
【請求項１２】
前記送信部は、圧縮符号化された前記画像信号を無線通信で送信する、請求項１〜１０のいずれか１つに記載の医療用観察装置。
【請求項１３】
患者の体内に挿入され、前記体内を撮像する前記撮像デバイスを備える、請求項１〜１２のいずれか１つに記載の医療用観察装置。
【請求項１４】
複数のリンクが関節部によって互いに連結されて構成されるアームと、
前記アームにより支持されている前記撮像デバイスと、
を備える、請求項１〜１２のいずれか１つに記載の医療用観察装置。
【請求項１５】
撮像デバイスにより観察対象が撮像された医療用撮像画像を示す画像信号を、前記医療用撮像画像より小さな所定の単位ごとに圧縮符号化する符号化処理部と、
前記所定の単位ごとに圧縮符号化された前記画像信号を送信する送信部と、
を備える、送信側医療用観察装置と、
前記送信側医療用観察装置から送信された、圧縮符号化された前記画像信号を受信する受信部と、
受信された圧縮符号化された画像信号を処理する信号処理部と、
を備える、受信側医療用観察装置と、
を有する、医療用観察システム。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
表示装置に表示される複数の識別図柄から構成される結果態様により当否判定結果を報知する遊技機において、
前記結果態様を構成する複数の前記識別図柄のうちの少なくとも一つが、複数種の候補図柄のうちのいずれとなるかによって当否判定結果が示される演出であって、当該複数種の候補図柄のうちのいずれかが一または複数の当たり図柄として設定された上で、当該一または複数の当たり図柄のいずれかが示された場合に当たりとなるリーチ演出と、
前記リーチ演出よりも前に発生しうる演出であって、複数種の前記候補図柄のそれぞれが、前記当たり図柄として設定されるか否かを示す先演出と、
を実行することが可能な演出実行手段を備え、
前記先演出は、前記表示装置の表示領域に設けられる特定領域に前記候補図柄が表示されるか否かを示す演出であって、当該特定領域に表示された前記候補図柄が前記リーチ演出において前記当たり図柄として設定され、当該特定領域に表示されなかった前記候補図柄は前記リーチ演出において前記当たり図柄として設定されないことを特徴とする遊技機。
【手続補正書】
【提出日】令和2年9月7日(2020.9.7)
【手続補正１】
【補正対象書類名】明細書
【補正対象項目名】００４１
【補正方法】変更
【補正の内容】
【００４１】
第１ローラ２１２ａ及び第２ローラ２１２ｂの高さ調整機構を用いて、前記第１ローラ２１２ａと第２バキュームコンベア８ｂとの厚み方向Ｚのクリアランスを、第２ローラ２１２ｂとコンベア８ｃとの厚み方向Ｚのクリアランスよりも狭くなるように、第１ローラ２１２ａ及び第２ローラ２１２ｂの厚み方向の高さを調整することが好ましい。そうすることで、吸収性コアの連続体１００ｆの厚みが厚くなることを効果的に抑えることができる。
【手続補正２】
【補正対象書類名】明細書
【補正対象項目名】００６５
【補正方法】変更
【補正の内容】
【００６５】
被覆工程では、被覆シート１００ｂの両側部ｂＲ，ｂＬを折り返す前に、又は被覆シート１００ｂの両側部ｂＲ，ｂＬを折り返して吸収性コアの連続体１００ｆを覆っている間に、吸収性コアの連続体１００ｆの厚みを維持する手段を用いて、吸収性コアの連続体１００ｆの厚みが厚くなることを抑える。詳述すると、被覆工程では、最初に、押し付け部２１０の搬送方向上流側とコンベア８ｃとの間に導入された被覆シート１００ｂに載置された吸収性コアの連続体１００ｆを、押し付け部２１０の無端ベルト２１４の押付け面とコンベア８ｃの搬送ベルト８３ｃの載置面とを用いて、被覆シート１００ｂに向かって押さえ付けた状態で搬送する。押し付け部２１０の無端ベルト２１４の押付け面とコンベア８ｃの搬送ベルト８３ｃの載置面とは、同じ方向に同じ速度にて走行している。その為、吸収性コアの連続体１００ｆを被覆シート１００ｂに押さえ付けた状態を維持したまま、押し付け部２１０と第２バキュームコンベア８ｂとの間に向かって搬送できる。このように、被覆工程において、被覆シート１００ｂの両側部ｂＲ，ｂＬを折り返す前に、吸収性コアの連続体１００ｆが被覆シート１００ｂに向かって押さえ付けられながら搬送されるので、吸収性コアの連続体１００ｆの厚みが厚くなることを抑えることができ、折り返し部２２０を用いて被覆シート１００ｂで吸収性コアの連続体１００ｆが覆われた吸収体の連続体１００ｒを、効率的に製造することができる。なお、被覆シート１００ｂの両側部ｂＲ，ｂＬを折り返す前とは、被覆シート１００ｂの一面上に吸収性コアの連続体１００ｆを載置してから、一対の折り返しガイド２２１Ｒ，２２１Ｌによって被覆シート１００ｂの両側部ｂＲ，ｂＬが折り返される時点Ｐ２、即ち、図５（ｂ）に示す、吸収性コアの連続体１００ｆの両側部ａＲ，ａＬの上面側に被覆シート１００ｂが接触するまでの間を意味する。また、「厚みが厚くなることを抑える」とは、吸収性コアの連続体１００ｆの厚みが、一対の折り返しガイド２２１Ｒ，２２１Ｌの厚み方向の内寸と同等かそれ以下になっていることが好ましい。
【手続補正３】
【補正対象書類名】明細書
【補正対象項目名】００６９
【補正方法】変更
【補正の内容】
【００６９】
次いで、折り返し部２２０の下流側に位置するターンロール２３０を用いて、吸収体の連続体１００ｒを該ターンロール２３０の周面に接触させた状態で搬送する。該連続体１００ｒにおける吸収性コア１００ａに対して、該周面とは反対側に位置する被覆シート１００ｂによって該吸収性コア１００ａを圧縮しながら、ターンロール２３０によって搬送する。図３に示すように、ターンロール２３０に対する吸収体の連続体１００ｒの抱き角θ１としては、９０度以上が好ましく、１２０度以上がより好ましく、そして、２４０度以下が好ましい。ターンロール２３０を用いて吸収性コア１００ａを被覆シート１００ｂで圧縮しながら搬送することで、被覆シート１００ｂで覆っている間の吸収性コアの連続体１００ｆの厚みが厚くなることをより抑えることができる。
【手続補正４】
【補正対象書類名】明細書
【補正対象項目名】００８４
【補正方法】変更
【補正の内容】
【００８４】
次いで、図７に示すように、原反ロール１０ｂｆから供給される帯状の合成繊維シート１０ｂｓを、第１のカッターローラ５３及び第２のカッターローラ５４を用いて切断してシート片１０ｂｈを形成する。第４バキュームコンベア８Ｂのバキュームボックス８４内を負圧にすることで、第２ダクト３Ｂ内を流れる空気流を発生させる。そして、切断工程にて切断されたシート片１０ｂｈを、第２ダクト３Ｂ内を流れる空気流を用いて、被覆シート１００ｂ上の親水性繊維集積層上に集積する。このようにして、親水性繊維集積層上にシート片集積層が積層された吸収性コアの連続体１００ｆを製造する。
【手続補正５】
【補正対象書類名】明細書
【補正対象項目名】００８５
【補正方法】変更
【補正の内容】
【００８５】
このようにして製造された吸収性コアの連続体１００ｆが載置された被覆シート１００ｂの搬送方向に沿う両側部ｂＲ，ｂＬを折り返し、該吸収性コアの連続体１００ｆの搬送方向に沿う両側部ａＲ，ａＬを覆って吸収体の連続体１００ｒを形成する被覆工程を行う。該被覆工程では、図２及び図３に示す被覆工程と同様に、被覆シート１００ｂの両側部ｂＲ，ｂＬを折り返す前に、又は被覆シート１００ｂの両側部ｂＲ，ｂＬを折り返して吸収性コアの連続体１００ｆを覆っている間に、吸収性コアの厚みを維持する手段を用いて、吸収性コアの厚みが厚くなることを抑える。このように、図７に示す製造装置を用いて製造した吸収性コア１００ａを具備する吸収体１００は、図２及び図３に示す製造装置１を用いた場合と同様の効果を奏することができる。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御される確率に関する設定値を設定可能な設定手段と、
遊技の進行を制御可能であって、前記設定手段によって設定された設定値に応じた確率により前記有利状態に制御可能な遊技制御手段と、
遊技機への電力供給が停止しても所定期間は記憶内容を保持可能なバックアップ記憶手段と、
前記遊技制御手段から出力される制御情報にもとづいて演出を制御可能な演出制御手段と、
を備え、
前記遊技制御手段は、遊技機への電力供給が停止した後、遊技機への電力供給が開始されたときの起動状態として、前記バックアップ記憶手段が記憶する記憶内容にもとづいて復旧する第１起動状態と、前記バックアップ記憶手段が記憶する記憶内容に関わらずに該記憶内容を消去して復旧する第２起動状態と、前記設定手段による設定を可能とする第３起動状態のいずれかとなり、該起動状態に対応した異なる制御情報を前記演出制御手段に出力する、
ことを特徴とする遊技機。
【手続補正２】
【補正対象書類名】明細書
【補正対象項目名】０００２
【補正方法】変更
【補正の内容】
【０００２】
従来の遊技機には、遊技の進行を制御可能である主基板（遊技制御手段）と、遊技制御手段から出力されるコマンド（制御情報）に基づいて演出を制御可能な演出制御基板（演出制御手段）と、を備え、遊技機に電源を投入して起動させるとき、バックアップされている記憶にもとづいて遊技機を復旧する場合に主基板から演出制御基板に対してコマンドを出力可能であるとともに、バックアップされている記憶にかかわらず該バックアップされている記憶をクリアする場合主基板から演出制御基板に対してコマンドを出力可能なものがある（例えば、特許文献１参照）。
また、従来の遊技機には、遊技の進行を制御可能であるとともに電断時の記憶をバックアック可能な主基板（遊技制御手段）と、遊技制御手段から出力されるコマンド（制御情報）に基づいて演出を制御可能な演出制御基板（演出制御手段）と、複数の設定値のうちのいずれかの設定値を設定可能な設定手段と、を備え、遊技機に電源を投入して起動させるとき、遊技機の設定値を変更可能な状態とする場合主基板から演出制御基板に対してコマンドを出力可能なものがある（例えば、特許文献２参照）。
【手続補正３】
【補正対象書類名】明細書
【補正対象項目名】０００３
【補正方法】変更
【補正の内容】
【０００３】
【特許文献１】特開２０１６−０４２８８０号公報
【特許文献２】特開２０１０−２００９０２号公報
【手続補正４】
【補正対象書類名】明細書
【補正対象項目名】０００４
【補正方法】変更
【補正の内容】
【０００４】
しかしながら、特許文献１に記載の遊技機にあっては、遊技機に電源を投入して起動させるとき（遊技機に電力供給が開始されたとき）に、主基板（遊技制御手段）がバックアップされている記憶にもとづいて遊技機を復旧する場合に該主基板から演出制御基板（演出制御手段）に対して出力されるコマンド（制御情報）と、主基板がバックアップされている記憶にかかわらず該バックアップされている記憶をクリアする場合に該主基板から演出制御基板に対して出力されるコマンドと、遊技機の設定値を変更可能な状態とする場合に該主基板から演出制御基板に対して出力されるコマンドと、が同一であると、遊技機に電源を投入して起動させる際に、演出制御基板が該起動状態に応じた適切な処理を実行できないという問題がある。
【手続補正５】
【補正対象書類名】明細書
【補正対象項目名】０００５
【補正方法】変更
【補正の内容】
【０００５】
よって、本発明は、電力供給が開始されたときに、演出制御手段が起動状態に応じた適切な処理を実行できる遊技機を提供することを目的とする。
【手続補正６】
【補正対象書類名】明細書
【補正対象項目名】０００６
【補正方法】変更
【補正の内容】
【０００６】
手段１の遊技機は、
遊技者にとって有利な有利状態（例えば、大当り遊技状態）に制御可能な遊技機（例えば、パチンコ遊技機１）であって、
有利状態に制御される確率に関する設定値（例えば、１〜３の設定値）を設定可能な設定手段（例えば、ＣＰＵ１０３が図２１−１４に示す設定変更処理を実行する部分）と、
遊技の進行を制御可能であって、前記設定手段によって設定された設定値に応じた確率により前記有利状態に制御可能な遊技制御手段（例えば、ＣＰＵ１０３が図５に示すプロセス制御処理を実行する部分）と、
遊技機への電力供給が停止しても所定期間は記憶内容を保持可能なバックアップ記憶手段（例えば、ＲＡＭ１０２）と、
前記遊技制御手段から出力される制御情報（例えば、図２１−３に示す演出制御コマンド）にもとづいて演出を制御可能な演出制御手段（例えば、演出制御用ＣＰＵ１２０が図２１−１７に示すＲＡＭクリア報知処理、設定値変更中報知処理、設定値確認中報知処理等を実行する部分）と、
を備え、
前記遊技制御手段は、遊技機への電力供給が停止した後、遊技機への電力供給が開始されたときの起動状態として、前記バックアップ記憶手段が記憶する記憶内容にもとづいて復旧する第１起動状態（例えば、ホットスタート）と、前記バックアップ記憶手段が記憶する記憶内容に関わらずに該記憶内容を消去して復旧する第２起動状態（例えば、コールドスタート）と、前記設定手段による設定を可能とする第３起動状態（例えば、設定変更状態）のいずれかとなり、該起動状態に対応した異なる制御情報を前記演出制御手段に出力する（例えば、図２１−１１、図２１−１４に示すように、パチンコ遊技機１がホットスタートで起動した場合は、ＣＰＵ１０３が演出制御基板１２に対してホットスタート通知コマンドを送信し、パチンコ遊技機１がコールドスタートで起動した場合は、ＣＰＵ１０３が演出制御基板１２に対してコールドスタート通知コマンドを送信し、パチンコ遊技機１が設定変更状態で起動した場合は、ＣＰＵ１０３が演出制御基板１２に対して設定値変更開始通知コマンドを送信する部分）、
ことを特徴としている。
この特徴によれば、演出制御手段が、電力供給が開始されたときに遊技制御手段の起動状態に応じた適切な処理を実行することができる。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御される確率に関する設定値を設定可能な設定手段と、
遊技の進行を制御可能であって、前記設定手段によって設定された設定値に応じた確率により前記有利状態に制御可能な遊技制御手段と、
遊技機への電力供給が停止しても所定期間は記憶内容を保持可能なバックアップ記憶手段と、
遊技機への電力供給が開始されたときの前記遊技制御手段の起動状態を報知可能な起動報知手段と、
を備え、
前記遊技制御手段は、前記起動状態として、前記バックアップ記憶手段が記憶する記憶内容をクリアして起動する一般起動状態と、前記設定手段による設定を有効とする設定起動状態とを有し、
前記起動報知手段は、前記一般起動状態と前記設定起動状態とで、異なる態様にて前記報知を行う、
ことを特徴とする遊技機。
【手続補正２】
【補正対象書類名】明細書
【補正対象項目名】０００２
【補正方法】変更
【補正の内容】
【０００２】
従来の遊技機には、遊技の進行を制御可能である主基板（遊技制御手段）と、遊技制御手段から出力されるコマンド（制御情報）に基づいて演出を制御可能な演出制御基板（演出制御手段）と、を備え、遊技機に電源を投入して起動させるとき、バックアップされている記憶にもとづいて遊技機を復旧する場合に主基板から演出制御基板に対してコマンドを出力することにより、バックアップされている記憶にもとづいて遊技機を復旧したことを報知可能であるとともに、バックアップされている記憶にかかわらず該バックアップされている記憶をクリアする場合に主基板から演出制御基板に対してコマンドを出力することで、バックアップされている記憶をクリアしたことを報知可能なものがある（例えば、特許文献１参照）。
また、従来の遊技機には、遊技の進行を制御可能であるとともに電断時の記憶をバックアック可能な主基板（遊技制御手段）と、遊技制御手段から出力されるコマンド（制御情報）に基づいて演出を制御可能な演出制御基板（演出制御手段）と、複数の設定値のうちのいずれかの設定値を設定可能な設定手段と、を備え、遊技機に電源を投入して起動させるとき、遊技機の設定値を変更可能な状態とする場合に主基板から演出制御基板に対してコマンドを出力することで、遊技機の設定値を変更可能な状態であることを報知可能なものがある（例えば、特許文献２参照）。
【手続補正３】
【補正対象書類名】明細書
【補正対象項目名】０００３
【補正方法】変更
【補正の内容】
【０００３】
【特許文献１】特開２０１６−０４２８８０号公報
【特許文献２】特開２０１０−２００９０２号公報
【手続補正４】
【補正対象書類名】明細書
【補正対象項目名】０００４
【補正方法】変更
【補正の内容】
【０００４】
しかしながら、遊技機に電源を投入して起動させるとき（遊技機に電力供給が開始されたとき）に、主基板がバックアップされている記憶にかかわらず該バックアップされている記憶をクリアする場合（一般起動状態）と、遊技機の設定値を変更可能な状態とする場合（設定起動状態）と、で報知態様が同一であると、遊技機がこれら一般起動状態と設定起動状態とのどちらであるか特定できず、遊技機の不正な設定変更等の発見が困難であるという問題がある。
【手続補正５】
【補正対象書類名】明細書
【補正対象項目名】０００５
【補正方法】変更
【補正の内容】
【０００５】
本発明は、このような問題点に着目してなされたもので、設定による不正を容易に発見できる遊技機を提供することを目的とする。
【手続補正６】
【補正対象書類名】明細書
【補正対象項目名】０００６
【補正方法】変更
【補正の内容】
【０００６】
手段１の遊技機は、
遊技者にとって有利な有利状態（例えば、大当り遊技状態）に制御可能な遊技機（例えば、パチンコ遊技機１）であって、
前記有利状態に制御される確率に関する設定値（例えば、１〜３の設定値）を設定可能な設定手段（例えば、ＣＰＵ１０３が図２１−１４に示す設定変更処理を実行する部分）と、
遊技の進行を制御可能であって、前記設定手段によって設定された設定値に応じた確率により前記有利状態に制御可能な遊技制御手段（例えば、ＣＰＵ１０３が図５に示すプロセス制御処理を実行する部分）と、
遊技機への電力供給が停止しても所定期間は記憶内容を保持可能なバックアップ記憶手段（例えば、ＲＡＭ１０２やＲＡＭ１２２）と、
遊技機への電力供給が開始されたときの前記遊技制御手段の起動状態を報知可能な起動報知手段（例えば、演出制御用ＣＰＵ１２０が図２１−１７に示す起動報知処理を実行する部分）と、
を備え、
前記遊技制御手段は、前記起動状態として、前記バックアップ記憶手段が記憶する記憶内容をクリアして起動する一般起動状態（例えば、パチンコ遊技機１がホットスタートで起動した状態）と、前記設定手段による設定を有効とする設定起動状態（例えば、設定変更状態）とを有し、
前記起動報知手段は、前記一般起動状態と前記設定起動状態とで、異なる態様にて前記報知を行う（例えば、図２１−２０示すように、パチンコ遊技機１がコールドスタートで起動した場合には、遊技効果ランプの発光とスピーカ８Ｌ，８Ｒからの音出力を実行し、パチンコ遊技機１が設定変更状態で起動した場合には、遊技効果ランプの発光とスピーカ８Ｌ，８Ｒからの音出力、画像表示装置５でのメッセージ画像の表示を実行する部分）、
ことを特徴としている。
この特徴によれば、起動状態が、一般起動状態であるのか設定起動状態であるのかを容易に特定できるので、設定による不正を容易に発見できる。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御される確率に関する設定値の設定を許可するための設定許可状態に制御可能な設定許可状態制御手段と、
設定された設定値に応じた確率により前記有利状態に制御可能な遊技制御手段と、
遊技の進行を制御するために前記遊技制御手段が用いる遊技情報を記憶可能な遊技情報記憶手段と、
前記遊技制御手段から送信される制御情報にもとづいて演出の制御を行う演出制御手段と、
を備え、
前記遊技制御手段は、前記設定値を特定可能な前記制御情報として、前記設定許可状態において設定された設定値とは異なる数値であって該設定値にもとづいた設定特定値を含む設定値制御情報を送信可能であって、
前記演出制御手段は、前記遊技制御手段から送信された前記設定値制御情報に含まれる設定特定値を記憶するとともに、該設定特定値から特定した設定値に応じた演出を実行可能であり、
前記遊技情報は、未だ開始されていない可変表示に関する保留記憶情報を含み、
前記設定許可状態において新たな設定値が設定されたときは、前記保留記憶情報を含む遊技情報が消去される、
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００２
【補正方法】変更
【補正の内容】
【０００２】
従来の遊技機には、演出を行う演出制御基板に対して設定値を特定可能な設定値指定コマンドを送信して、設定値を演出制御基板に通知して設定示唆演出を制御するものがある（例えば、特許文献１参照）。
【手続補正４】
【補正対象書類名】明細書
【補正対象項目名】０００３
【補正方法】変更
【補正の内容】
【０００３】
【特許文献１】特開２０１０−２００９０２号公報
【手続補正５】
【補正対象書類名】明細書
【補正対象項目名】０００４
【補正方法】変更
【補正の内容】
【０００４】
しかしながら、特許文献１にあっては、設定示唆演出を制御する演出制御基板は、遊技の進行を制御するのではなく演出を制御する基板であることにより、遊技の進行を制御する遊技制御基板よりも基板をケース等から取り出して解析することが容易であることから、演出制御基板に記憶されている設定値が改竄されてしまうと、不適切な設定示唆演出が行われてしまう畏れがある。
【手続補正６】
【補正対象書類名】明細書
【補正対象項目名】０００５
【補正方法】変更
【補正の内容】
【０００５】
よって、本発明は、演出制御手段に記憶されている設定値が改竄されてしまうことを防ぐことができる遊技機を提供することを目的とする。
【手続補正７】
【補正対象書類名】明細書
【補正対象項目名】０００６
【補正方法】変更
【補正の内容】
【０００６】
手段１の遊技機は、
可変表示を行い、遊技者にとって有利な有利状態（例えば、大当り遊技状態）に制御可能な遊技機（例えば、パチンコ遊技機１）であって、
前記有利状態に制御される確率に関する設定値（例えば、設定値１〜設定値３のいずれか）の設定を許可するための設定許可状態に制御可能な設定許可状態制御手段（例えば、ＣＰＵ１０３がＳａ１３の設定変更処理を実行する部分）と、
設定された設定値に応じた確率により前記有利状態に制御可能な遊技制御手段（例えば、ＣＰＵ１０３が図５に示す特別図柄プロセス処理を実行する部分）と、
遊技の進行を制御するために前記遊技制御手段が用いる遊技情報を記憶可能な遊技情報記憶手段（例えば、ＲＡＭ１０２）と、
前記遊技制御手段から送信される制御情報にもとづいて演出の制御を行う演出制御手段（例えば、演出制御用ＣＰＵ１２０が図２０−４６に示す朝いち背景演出（設定値示唆演出）を実行する部分）と、
を備え、
前記遊技制御手段は、前記設定値を特定可能な前記制御情報として、前記設定許可状態において設定された設定値とは異なる数値であって該設定値にもとづいた設定特定値（例えば、設定値指定コマンド）を含む設定値制御情報を送信可能であって（例えば、ＣＰＵ１０３が設定値変換処理の１１０ＳＧ３０３の処理の実行後にコマンド制御処理（Ｓ２７）を実行する部分）、
前記演出制御手段は、前記遊技制御手段から送信された前記設定値制御情報に含まれる設定特定値を記憶（例えば、演出制御用ＣＰＵ１２０が図２０−４５に示す設定値更新処理の１１０ＳＧ３１３の処理を実行する部分）するとともに、該設定特定値から特定した設定値に応じた演出を実行可能であり（例えば、パチンコ遊技機１に電源が投入されてから１時間が経過するまでや、１００回の変動表示が実行されるまで朝いち背景演出（設定値示唆演出）を実行する部分）、
前記遊技情報は、未だ開始されていない可変表示に関する保留記憶情報を含み（例えば、図１１−１３（Ｂ）に示すように、ＲＡＭ１０２に記憶される遊技情報には保留記憶が含まれている部分）、
前記設定許可状態において新たな設定値が設定されたときは、前記保留記憶情報を含む遊技情報が消去される（例えば、変形例８に示すように、新たな設定値が設定された場合は、ＣＰＵ１０３がＲＡＭクリア処理を実行することで、ＲＡＭ１０２におけるアドレスＦ０００に格納されている設定値を除くデータ（アドレスＦ００１以降に格納されているデータ）がクリアされる部分）、
ことを特徴としている。
この特徴によれば、演出制御手段に記憶されている設定値が改竄されてしまうことを防ぐことができるとともに、保留記憶が記憶されているときに設定値が変更されることによって遊技者が不適切な利益を得ることを防止することができる。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
輸液用の第１針を穿刺するための第１穿刺位置が特定された輸液容器の混注口における、上記第１穿刺位置とは異なる第２穿刺位置へ注射器の第２針を穿刺するための穿刺装置であって、
少なくとも上記第１穿刺位置から所定範囲内に上記第２針を穿刺する場合には、上記第２針の穿刺による穿刺痕の幅方向である第１方向と、上記第１穿刺位置と上記第２穿刺位置とを結ぶ第２方向とが平行とならないように、上記第２針を穿刺する穿刺動作部を備える、穿刺装置。
【請求項２】
上記穿刺動作部は、上記第１方向と上記第２方向とのなす角のうち、小さい方の角度が４５°以上かつ９０°未満となるように、又は上記なす角が９０°となるように、上記第２針を穿刺する、請求項１に記載の穿刺装置。
【請求項３】
上記穿刺動作部は、上記第２穿刺位置を調整し、調整後の第２穿刺位置へ上記第２針を穿刺する、請求項１又は２に記載の穿刺装置。
【請求項４】
上記穿刺動作部は、上記混注口に対する上記第２針の回転角度を調整し、当該回転角度を調整した後の第２針を、上記第２穿刺位置へ穿刺する、請求項１又は２に記載の穿刺装置。
【請求項５】
上記穿刺動作部は、上記輸液容器における上記第２針が穿刺される穿刺領域が上下方向に渡るように配置されているときに、上記穿刺領域の下半分のいずれかの位置を上記第２穿刺位置として、上記第２針の穿刺を行う、請求項１から４のいずれか１項に記載の穿刺装置。
【請求項６】
輸液用の第１針を穿刺するための第１穿刺位置が特定された輸液容器の混注口における、上記第１穿刺位置とは異なる第２穿刺位置へ注射器の第２針を穿刺するための穿刺装置であって、
上記第１針が穿刺されたときに上記第１針が上記混注口と干渉する、上記第１穿刺位置を含む干渉領域の外側の領域である非干渉領域における、上記干渉領域から所定幅を有する、上記第２針の穿刺が禁止される禁止領域を除外して、上記第２針を穿刺する穿刺動作部を備える、穿刺装置。
【請求項７】
上記所定幅は、上記第１針が穿刺されたときに上記混注口に印加される力により、上記第２針の穿刺による穿刺痕が広がらない程度の幅である、請求項６に記載の穿刺装置。
【請求項８】
輸液用の第１針を穿刺するための第１穿刺位置が特定された輸液容器の混注口における、上記第１穿刺位置とは異なる第２穿刺位置へ注射器の第２針を穿刺するための穿刺方法であって、
少なくとも上記第１穿刺位置から所定範囲内に上記第２針を穿刺する場合には、上記第２針の穿刺による穿刺痕の幅方向である第１方向と、上記第１穿刺位置と上記第２穿刺位置とを結ぶ第２方向とが平行とならないように、上記第２針を穿刺する穿刺動作工程を含む、穿刺方法。
【請求項９】
輸液用の第１針を穿刺するための第１穿刺位置が特定された輸液容器の混注口における、上記第１穿刺位置とは異なる第２穿刺位置へ注射器の第２針を穿刺する穿刺動作部を備える穿刺装置を制御する制御部としてコンピュータを機能させるための穿刺実行プログラムであって、
上記制御部は、少なくとも上記第１穿刺位置から所定範囲内に上記第２針を穿刺する場合には、上記第２針の穿刺による穿刺痕の幅方向である第１方向と、上記第１穿刺位置と上記第２穿刺位置とを結ぶ第２方向とが平行とならないように、上記第２針を穿刺するように上記穿刺動作部を制御し、
上記制御部としてコンピュータを機能させるための穿刺実行プログラム。
【請求項１０】
薬品容器から注射器で薬品を吸引すると共に、当該注射器から輸液容器に当該薬品を注入する混注装置であって、
上記輸液容器を保持する輸液容器保持部と、
上記注射器を保持及び操作する注射器保持部を有し、上記注射器を上記輸液容器に穿刺して上記輸液容器内の液体を上記注射器で抜き取り、上記注射器で抜き取った液体を所定領域へと排出する注射器操作部と、を備える、混注装置。
【請求項１１】
上記注射器で抜き取った液体を収容する廃液容器を備え、
上記所定領域は、上記廃液容器の開口端、又は上記廃液容器へ通じる廃液ダクトの開口端である、請求項１０に記載の混注装置。
【請求項１２】
上記薬品が上記混注装置の外部に暴露することを防ぐため、上記注射器と、上記注射器の針が穿刺される上記薬品容器及び上記輸液容器のそれぞれにおける穿刺領域と、を少なくとも内包するチャンバーを備え、
上記廃液容器は、上記チャンバーの外部に配されている、請求項１１に記載の混注装置。
【請求項１３】
上記所定領域は、上記混注装置の外部へ通じる廃液ダクトの開口端である、請求項１０に記載の混注装置。
【請求項１４】
上記薬品が上記混注装置の外部に暴露することを防ぐため、上記注射器と、上記注射器の針が穿刺される上記薬品容器及び上記輸液容器のそれぞれにおける穿刺領域と、を少なくとも内包するチャンバーを備え、
上記所定領域には、上記チャンバーの内部をその外部から遮断する遮断部が備えられている、請求項１０から１３のいずれか１項に記載の混注装置。
【請求項１５】
上記輸液容器へ注入される薬品の注入量が所定量以上である場合に、上記注射器操作部は、上記輸液容器内の液体を上記注射器で抜き取る、請求項１０から１４のいずれか１項に記載の混注装置。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
正面から見て遊技機枠の右側に配された右側可動体、及び、前記遊技機枠の左側に配された左側可動体と、
演出を制御可能な演出制御手段と、を備え、
前記右側可動体および前記左側可動体は、所定の閉状態と所定の開状態とをとることが可能であり、
前記演出制御手段は、前記右側可動体と前記左側可動体とを共に前記閉状態から前記開状態に変化させる可動演出を実行可能であることを特徴とする遊技機。
【請求項２】
請求項１に記載の遊技機であって、
前記右側可動体および前記左側可動体が共に前記開状態であるときの前記遊技機枠の左右方向の幅寸法は、前記右側可動体および前記左側可動体が共に前記閉状態であるときの前記遊技機枠の左右方向の幅寸法よりも長いことを特徴とする遊技機。
【請求項３】
請求項２に記載の遊技機であって、
前記右側可動体と前記左側可動体とが左右対称の形状であることを特徴とする遊技機。
【手続補正２】
【補正対象書類名】明細書
【補正対象項目名】０００６
【補正方法】変更
【補正の内容】
【０００６】
本発明の遊技機は、
正面から見て遊技機枠の右側に配された右側可動体、及び、前記遊技機枠の左側に配された左側可動体と、
演出を制御可能な演出制御手段と、を備え、
前記右側可動体および前記左側可動体は、所定の閉状態と所定の開状態とをとることが可能であり、
前記演出制御手段は、前記右側可動体と前記左側可動体とを共に前記閉状態から前記開状態に変化させる可動演出を実行可能であることを特徴とする遊技機である。
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
枠状の基枠部と前記基枠部に対して開閉可能な開閉部とを含む遊技機枠と、
遊技球が流下可能な遊技領域と、
前記遊技領域を流下する遊技球が入賞可能な入賞口と、
前記遊技領域を流下する遊技球が前記入賞口に入賞しないで進入可能なアウト口と、を備える遊技機において、
前記遊技機枠は、
前記入賞口に入賞した遊技球及び前記アウト口を通過した遊技球を流下させて当該遊技機外へ排出する排出通路を備え、
前記排出通路は、
流下する遊技球を１球ずつ通過させる通過部と、
前記通過部を通過する遊技球を検出可能な排出球検出手段と、
前記通過部よりも上流側にて流下する遊技球を蛇行させる蛇行部と、を備え、
前記蛇行部は、
遊技球が徐々に斜め下方に流下するように左右方向に長く形成されていて、
上流側の上下方向の長さが遊技球の直径の２倍以上である一方、下流側の上下方向の長さが遊技球の直径の２倍未満であるように形成されていることを特徴とする遊技機。
【手続補正２】
【補正対象書類名】明細書
【補正対象項目名】０００７
【補正方法】変更
【補正の内容】
【０００７】
本発明の遊技機は、
枠状の基枠部と前記基枠部に対して開閉可能な開閉部とを含む遊技機枠と、
遊技球が流下可能な遊技領域と、
前記遊技領域を流下する遊技球が入賞可能な入賞口と、
前記遊技領域を流下する遊技球が前記入賞口に入賞しないで進入可能なアウト口と、を備える遊技機において、
前記遊技機枠は、
前記入賞口に入賞した遊技球及び前記アウト口を通過した遊技球を流下させて当該遊技機外へ排出する排出通路を備え、
前記排出通路は、
流下する遊技球を１球ずつ通過させる通過部と、
前記通過部を通過する遊技球を検出可能な排出球検出手段と、
前記通過部よりも上流側にて流下する遊技球を蛇行させる蛇行部と、を備え、
前記蛇行部は、
遊技球が徐々に斜め下方に流下するように左右方向に長く形成されていて、
上流側の上下方向の長さが遊技球の直径の２倍以上である一方、下流側の上下方向の長さが遊技球の直径の２倍未満であるように形成されていることを特徴とする遊技機である。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
正面から見て遊技機枠の右側に配された右側可動体、及び、前記遊技機枠の左側に配された左側可動体と、
前記遊技機枠の上部に配された可動装飾体と、
演出を制御可能な演出制御手段と、を備え、
前記右側可動体および前記左側可動体は、所定の閉状態と所定の開状態とをとることが可能であり、
前記演出制御手段は、
前記可動装飾体を所定の初期位置から当該初期位置よりも上方の移動位置に移動させる第１の可動演出と、
前記右側可動体と前記左側可動体とを共に前記閉状態から前記開状態に変化させる第２の可動演出と、を実行可能であり、
前記可動装飾体が前記移動位置に位置するとともに、前記右側可動体および前記左側可動体が共に前記開状態をとることがあることを特徴とする遊技機。
【請求項２】
請求項１に記載の遊技機であって、
前記右側可動体および前記左側可動体が共に前記開状態であるときの前記遊技機枠の左右方向の幅寸法は、前記右側可動体および前記左側可動体が共に前記閉状態であるときの前記遊技機枠の左右方向の幅寸法よりも長いことを特徴とする遊技機。
【手続補正２】
【補正対象書類名】明細書
【補正対象項目名】０００２
【補正方法】変更
【補正の内容】
【０００２】
下記特許文献１に記載の遊技機では、遊技に際して、可動部を動作させる可動演出を行う。具体的にはこの文献に記載の遊技機では、前扉の上部に、演出用の可動部が配されている。演出用の可動部は、マンホールを模した収納部から人形を飛び出させるものである。
【手続補正３】
【補正対象書類名】明細書
【補正対象項目名】０００３
【補正方法】変更
【補正の内容】
【０００３】
【特許文献１】特開２００４−１６７２２号公報
【手続補正４】
【補正対象書類名】明細書
【補正対象項目名】０００４
【補正方法】変更
【補正の内容】
【０００４】
しかしながら上記した遊技機には、可動演出の演出効果を向上させるため、さらなる改良の余地がある。
【手続補正５】
【補正対象書類名】明細書
【補正対象項目名】０００５
【補正方法】変更
【補正の内容】
【０００５】
本発明は上記事情に鑑みてなされたものである。すなわちその課題は、可動演出の演出効果を向上させることである。
【手続補正６】
【補正対象書類名】明細書
【補正対象項目名】０００６
【補正方法】変更
【補正の内容】
【０００６】
本発明の遊技機は、
正面から見て遊技機枠の右側に配された右側可動体、及び、前記遊技機枠の左側に配された左側可動体と、
前記遊技機枠の上部に配された可動装飾体と、
演出を制御可能な演出制御手段と、を備え、
前記右側可動体および前記左側可動体は、所定の閉状態と所定の開状態とをとることが可能であり、
前記演出制御手段は、
前記可動装飾体を所定の初期位置から当該初期位置よりも上方の移動位置に移動させる第１の可動演出と、
前記右側可動体と前記左側可動体とを共に前記閉状態から前記開状態に変化させる第２の可動演出と、を実行可能であり、
前記可動装飾体が前記移動位置に位置するとともに、前記右側可動体および前記左側可動体が共に前記開状態をとることがあることを特徴とする遊技機である。
【手続補正７】
【補正対象書類名】明細書
【補正対象項目名】０００７
【補正方法】変更
【補正の内容】
【０００７】
本発明によれば、可動演出の演出効果を向上可能である。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
遊技機枠の上部に配された固定装飾体と、
前記遊技機枠における前記固定装飾体の前方に配され、所定の初期位置から当該初期位置よりも上方の移動位置に移動可能な可動装飾体と、を備え、
前記固定装飾体は、前面側に所定の表示部を有し、
前記所定の表示部は、前記可動装飾体が前記初期位置から前記移動位置に移動した場合、前記可動装飾体が前記初期位置にあるときよりも遊技者から視認し易くなることを特徴とする遊技機。
【請求項２】
請求項１に記載の遊技機であって、
前記可動装飾体が前記移動位置に移動するとともに前記所定の表示部が視認し易くなった場合には、前記可動装飾体が前記移動位置に移動しなかった場合よりも、遊技者に有利な特別遊技が実行される期待度が高いことを特徴とする遊技機。
【請求項３】
請求項１又は請求項２に記載の遊技機であって、
前記可動装飾体には、当該可動装飾体の動作とは異なる所定の動作を行うことが可能な特定の可動部が設けられており、
前記可動装飾体が前記移動位置に移動する場合、前記特定の可動部が前記所定の動作を行うことがあることを特徴とする遊技機。
【請求項４】
請求項３に記載の遊技機であって、
前記特定の可動部は、所定の発光色で発光可能な特定の発光部を備え、
前記可動装飾体が前記移動位置に移動する場合、前記特定の可動部が前記所定の動作を行うとともに前記特定の発光部が前記所定の発光色で発光することがあり、
前記特定の可動部が前記所定の動作を行うとともに前記特定の発光部が前記所定の発光色で発光した場合には、前記特定の可動部が前記所定の動作を行わず前記特定の発光部が前記所定の発光色で発光しなかった場合よりも、遊技者に有利な特別遊技が実行され易いことを特徴とする遊技機。
【手続補正２】
【補正対象書類名】明細書
【補正対象項目名】０００２
【補正方法】変更
【補正の内容】
【０００２】
下記特許文献１に記載の遊技機では、遊技に際して、可動部を動作させる可動演出を行う。具体的にはこの文献に記載の遊技機では、前扉の上部に、演出用の可動部が配されている。演出用の可動部は、マンホールを模した収納部から人形を飛び出させるものである。
【手続補正３】
【補正対象書類名】明細書
【補正対象項目名】０００３
【補正方法】変更
【補正の内容】
【０００３】
【特許文献１】特開２００４−１６７２２号公報
【手続補正４】
【補正対象書類名】明細書
【補正対象項目名】０００４
【補正方法】変更
【補正の内容】
【０００４】
しかしながら上記した遊技機には、可動演出の演出効果を向上させるため、さらなる改良の余地がある。
【手続補正５】
【補正対象書類名】明細書
【補正対象項目名】０００５
【補正方法】変更
【補正の内容】
【０００５】
本発明は上記事情に鑑みてなされたものである。すなわちその課題は、可動演出の演出効果を向上させることである。
【手続補正６】
【補正対象書類名】明細書
【補正対象項目名】０００６
【補正方法】変更
【補正の内容】
【０００６】
本発明の遊技機は、
遊技機枠の上部に配された固定装飾体と、
前記遊技機枠における前記固定装飾体の前方に配され、所定の初期位置から当該初期位置よりも上方の移動位置に移動可能な可動装飾体と、を備え、
前記固定装飾体は、前面側に所定の表示部を有し、
前記所定の表示部は、前記可動装飾体が前記初期位置から前記移動位置に移動した場合、前記可動装飾体が前記初期位置にあるときよりも遊技者から視認し易くなることを特徴とする遊技機である。
【手続補正７】
【補正対象書類名】明細書
【補正対象項目名】０００７
【補正方法】変更
【補正の内容】
【０００７】
本発明によれば、可動演出の演出効果を向上可能である。